(57)【要約】【課題】手間と時間をかけずに、かつ、簡単な作業により、被写体を立体的に表現することのできる技術を提供する。【解決手段】撮影補助装置１は、直線Ｌ１の周囲を取り囲みかつ直線Ｌ１の方を向いた外側の鏡１０と、直線Ｌ１の周囲を取り囲みかつ直線Ｌ１と反対の方を向いた内側の鏡と、外側の鏡１０と内側の鏡２０とを接続する接続部材３０と、カメラ２が内蔵されたスマートフォン４を支持するケース４０と、を備えている。内側の鏡２０は、直線Ｌ１上に配置された被写体３の像が、外側の鏡１０に反射して内側の鏡２０に写るように配置されている。ケース４０は、カメラ２のレンズ２Ａを直線Ｌ１上に配置するように構成されている。【選択図】図１
2017161631.tif 000002
【特許請求の範囲】
【請求項１】
レンズを有するカメラが取り付けられる撮影補助装置であって、
所定方向に延びる直線の周囲を取り囲むと共に、前記所定方向に向かうほど前記直線から遠ざかるように前記直線に対して傾斜し、前記直線の方を向いた外側の鏡と、
前記直線の周囲を取り囲むと共に、前記所定方向に向かうほど前記直線から遠ざかるように前記直線に対して傾斜し、前記直線と反対の方を向いた内側の鏡と、
前記外側の鏡と前記内側の鏡とを接続する接続部材と、
前記カメラが着脱自在に装着され、前記カメラのレンズが前記内側の鏡よりも前記所定方向と反対の方向に配置されかつ前記内側の鏡に向けて配置されるように、前記カメラを支持するカメラ支持部材と、を備え、
前記内側の鏡は、前記内側の鏡よりも前記所定方向かつ前記直線上に配置された被写体の像が前記外側の鏡に反射して前記内側の鏡に写るように配置され、
前記カメラ支持部は、前記カメラのレンズを前記直線上に配置するように構成されている、撮影補助装置。
【請求項２】
前記外側の鏡は、前記直線の周囲に配置されたＮ枚（ただし、Ｎは３以上の整数）の平面鏡を有し、
前記内側の鏡は、前記直線の周囲に配置されたＮ枚の平面鏡を有している、請求項１に記載の撮影補助装置。
【請求項３】
前記接続部材は、前記外側の鏡のうち隣り合う２枚の平面鏡同士の間に接続された外側端部と、前記内側の鏡のうち隣り合う２枚の平面鏡同士の間に接続された内側端部と、を有する複数のアームを備えている、請求項２に記載の撮影補助装置。
【請求項４】
前記外側の鏡は、前記直線の周囲に配置された曲面鏡を有し、
前記内側の鏡は、前記直線の周囲に配置された曲面鏡を有している、請求項１に記載の撮影補助装置。
【請求項５】
前記カメラは、スマートフォンに内蔵されたカメラであり、
前記カメラ支持部材は、前記スマートフォンが装着されるように構成されている、請求項１〜４のいずれか一つに記載の撮影補助装置。
【請求項６】
請求項１〜５のいずれか一つに記載の撮影補助装置と、
前記カメラ支持部に支持されたカメラと、
前記カメラが撮影した被写体の画像のデータを受け、このデータを用いて前記被写体の３次元画像データを作成する画像データ作成装置と、
を備えた、画像システム。
【請求項７】
前記画像データ作成装置は、前記カメラから前記被写体の静止画像のデータを受け、このデータを用いて前記被写体の３次元静止画像データを作成するように構成されている、請求項６に記載の画像システム。
【請求項８】
前記カメラは、動画撮影が可能に構成されており、
前記画像データ作成装置は、前記カメラから前記被写体の動画像のデータを受け、このデータを用いて前記被写体の３次元動画像データを作成するように構成されている、請求項６に記載の画像システム。
【請求項９】
前記カメラは、スマートフォンに内蔵されたカメラであり、
前記画像データ作成装置は、前記スマートフォンに内蔵されている、請求項６〜８のいずれか一つに記載の画像システム。
【発明の詳細な説明】
【技術分野】
【０００１】
本発明は、撮影補助装置および画像システムに関する。
【背景技術】
【０００２】
従来から、被写体を複数の方向から撮影した複数の画像を用いて、被写体を立体的に表現する技術が知られている。例えば非特許文献１には、カメラ付きのスマートフォンを被写体の周りに移動させつつ、上記カメラで被写体を順次撮影し、その結果得られた複数の画像をユーザの操作に応じてディスプレイ上に順次連続的に表示することにより、被写体を立体的に表現する技術が開示されている。また、非特許文献１には、上記撮影を補助する装置として、被写体が置かれる台と、カメラ付きのスマートフォンが取り付けられ、台の周りを周回可能なアームとを備えた装置が開示されている。
【０００３】
上記技術によれば、被写体を台の上に載せ、カメラ付きのスマートフォンをアームに取り付け、カメラの撮影を行いながらアームを一周させるだけの簡単な作業により、被写体をディスプレイ上に立体的に表現することができる。
【先行技術文献】
【非特許文献】
【０００４】
【非特許文献１】株式会社ニットー，株式会社日本コンピュータ開発、“くるみる  3D-360°PhotoStyle”、［online］、［平成２８年２月１０日検索］、インターネット＜URL:http://www.qulmil.com/＞
【発明の概要】
【発明が解決しようとする課題】
【０００５】
しかし、上記技術では、カメラ付きのスマートフォンを被写体の周りに移動させる作業が必要不可欠である。そのため、作業自体は簡単ではあるが、ある程度の手間と時間が必要であった。
【０００６】
本発明はかかる点に鑑みてなされたものであり、その目的は、手間と時間をかけずに、かつ、簡単な作業により、被写体を立体的に表現することのできる技術を提供することである。
【課題を解決するための手段】
【０００７】
本発明に係る撮影補助装置は、レンズを有するカメラが取り付けられる撮影補助装置であって、外側の鏡と、内側の鏡と、接続部材と、カメラ支持部材とを備えている。前記外側の鏡は、所定方向に延びる直線の周囲を取り囲むと共に、前記所定方向に向かうほど前記直線から遠ざかるように前記直線に対して傾斜し、前記直線の方を向いている。前記内側の鏡は、前記直線の周囲を取り囲むと共に、前記所定方向に向かうほど前記直線から遠ざかるように前記直線に対して傾斜し、前記直線と反対の方を向いている。前記接続部材は、前記外側の鏡と前記内側の鏡とを接続している。前記カメラ支持部材は、前記カメラが着脱自在に装着され、前記カメラのレンズが前記内側の鏡よりも前記所定方向と反対の方向に配置されかつ前記内側の鏡に向けて配置されるように、前記カメラを支持する。前記内側の鏡は、前記内側の鏡よりも前記所定方向かつ前記直線上に配置された被写体の像が前記外側の鏡に反射して前記内側の鏡に写るように配置されている。前記カメラ支持部は、前記カメラのレンズを前記直線上に配置するように構成されている。
【０００８】
前記撮影補助装置によれば、被写体の像が外側の鏡に反射して内側の鏡に写される。被写体は前記直線上に配置され、外側の鏡および内側の鏡は、前記直線の周囲を取り囲むように配置されている。そのため、内側の鏡には、被写体を異なる複数の方向から見た複数の像が写される。よって、カメラ支持部に支持されたカメラで内側の鏡を撮影することにより、被写体を複数の方向から見た複数の画像を同時に撮影することができる。
【０００９】
前記撮影補助装置によれば、１回の撮影により、被写体を複数の方向から見た複数の画像を得ることができる。よって、カメラを被写体の周りに移動させるといった作業は不要である。したがって、手間と時間をかけずに、かつ、簡単な作業により、被写体を複数の方向から見た複数の画像を得ることができ、それら複数の画像を利用して被写体を立体的に表現することができる。
【発明の効果】
【００１０】
以上のように、本発明によれば、手間と時間をかけずに、かつ、簡単な作業により、被写体を立体的に表現することのできる技術を提供することができる。
【図面の簡単な説明】
【００１１】
【図１】本発明の一実施形態に係る撮影補助装置、カメラ、および被写体の斜視図である。
【図２】カメラを取り外した状態の撮影補助装置およびカメラの斜視図である。
【図３】撮影補助装置の装置本体の斜視図である。
【図４】撮影補助装置の断面図である。
【図５】内側の鏡に写る被写体の像を表す図である。
【図６】本発明の一実施形態に係る画像システムの構成を表すブロック図である。
【図７】視点と注視点との関係を説明する説明図である。
【図８】本発明の他の実施形態に係る撮影補助装置について、外側の鏡および内側の鏡の一部を破断して示す斜視図である。
【発明を実施するための形態】
【００１２】
以下、図面を参照しながら、本発明の実施の一形態について説明する。図１に示すように、本実施形態に係る撮影補助装置１は、レンズ２Ａを有するカメラ２が取り付けられる装置であり、取り付けられたカメラ２により、被写体３を異なる方向から見た複数の画像を同時に得ることを補助する装置である。
【００１３】
カメラ２は、図示しない撮像素子で撮影した画像をデジタルデータとして記録するカメラである。本実施形態ではカメラ２は、スマートフォン４に内蔵されたカメラである。しかし、カメラ２の形態は何ら限定されない。カメラ２は、例えば携帯電話機、携帯型ゲーム機、タブレット型コンピュータ等の他の機器に内蔵されたカメラであってもよく、独立した筐体を有するデジタルカメラであってもよい。
【００１４】
撮影補助装置１は、装置本体１Ａとケース４０とを備えている。ケース４０は、カメラを支持するカメラ支持部材の一例であるが、カメラ支持部材は装置本体１Ａに対してカメラを固定できる部材であれば足り、カメラの形態に応じて適宜変更が可能である。本実施形態では図２に示すように、ケース４０は、スマートフォン４が装着されるように構成されている。本実施形態では、ケース４０は装置本体１Ａに着脱不能に固定されているが、使用するカメラの形態に応じてカメラ支持部材を交換できるように、カメラ支持部材は装置本体１Ａに着脱可能に設けられていてもよい。ケース４０は装置本体１Ａに対して着脱可能に構成されていてもよい。
【００１５】
図２に示すように、カメラ２はレンズ２Ａを有している。レンズ２Ａはスマートフォン４の裏面４Ｂに配置されている。ケース４０を通して撮影ができるよう、ケース４０の底板４０Ｂには孔４１が形成されている。スマートフォン４の裏面４Ｂと底板４０Ｂとが向かい合うようにスマートフォン４をケース４０に装着すると、レンズ２Ａは孔４１と重なり、ケース４０よりも裏側を撮影することができる。
【００１６】
次に、装置本体１Ａについて説明する。図３は、撮影補助装置１からケース４０を取り除いた状態を示す図であり、装置本体１Ａの斜視図である。図３に示すように、装置本体１Ａは、外側の鏡１０と、内側の鏡２０と、外側の鏡１０と内側の鏡２０とを接続する接続部材３０とを備えている。以下の説明では便宜上、上、下とは、図３の上、下をそれぞれ意味するものとする。ただし、撮影補助装置１は様々な姿勢で用いることができる。例えば、撮影補助装置１は、図３に示す姿勢から９０°傾けた姿勢で用いることができる。そのため、以下の説明での上、下は、必ずしも撮影補助装置１の使用時の上、下を意味する訳ではない。
【００１７】
外側の鏡１０は、６枚の平面鏡１１〜１６を有している。これら平面鏡１１〜１６は、内側を向いている。すなわち、平面鏡１１〜１６の内側の面は鏡面である。装置本体１Ａの中心を通る下方に延びる直線を直線Ｌ１とすると、平面鏡１１〜１６は直線Ｌ１の方を向いている。平面鏡１１〜１６は、直線Ｌ１の周りに配置されている。平面鏡１１〜１６は、直線Ｌ１の周囲を取り囲んでいる。また、平面鏡１１〜１６は、下方に向かうほど直線Ｌ１から遠ざかるように直線Ｌ１に対して傾斜している。平面鏡１１〜１６は、同じ寸法および同じ形状を有している。
【００１８】
内側の鏡２０は、外側の鏡１０と同枚数の平面鏡２１〜２６を有している。本実施形態では、外側の鏡１０は６枚の平面鏡１１〜１６を有しているので、内側の鏡２０は６枚の平面鏡２１〜２６を有している。これら平面鏡２１〜２６は、外側を向いている。すなわち、平面鏡２１〜２６の外側の面は鏡面である。平面鏡２１〜２６は、直線Ｌ１と反対の方を向いている。平面鏡２１〜２６は、直線Ｌ１の周りに配置されており、直線Ｌ１の周囲を取り囲んでいる。また、平面鏡２１〜２６は、下方に向かうほど直線Ｌ１から遠ざかるように直線Ｌ１に対して傾斜している。平面鏡２１〜２６は、同じ寸法および同じ形状を有している。内側の鏡２０は、６角錐状に形成されている。
【００１９】
接続部材３０は、複数本の棒状の上側アーム３１および下側アーム３２によって構成されている。下側アーム３２は上側アーム３１の下方に配置されている。上側アーム３１および下側アーム３２は、直線状に延びている。上側アーム３１および下側アーム３２は、外側端部３３と内側端部３４とを有している。外側端部３３は、外側の鏡１０のうち隣り合う２枚の平面鏡１１〜１６同士の間の部分に接続されている。内側端部３４は、内側の鏡２０のうち隣り合う２枚の平面鏡２１〜２６同士の間の部分に接続されている。上側アーム３１の内側端部３４と、下側アーム３２の内側端部３４とは、接続されている。
【００２０】
図２に示すように、ケース４０は、孔４１が内側の鏡２０の頂点２０ｔ上に位置するように配置されている。ケース４０は、カメラ２のレンズ２Ａが内側の鏡２０よりも上方に配置されかつ内側の鏡２０に向けて配置されるように、スマートフォン４を支持する。また、ケース４０は、カメラ２のレンズ２Ａが直線Ｌ１上に位置するようにスマートフォン４を支持する。
【００２１】
被写体３を撮影する際には、スマートフォン４をケース４０に装着し、被写体３が直線Ｌ１上に位置するように撮影補助装置１を配置する。例えば、ユーザが手で撮影補助装置１を把持し、撮影補助装置１を被写体３の真上の位置に移動させる。そして、被写体３の像が外側の鏡１０に反射して内側の鏡２０に写るように、撮影補助装置１と被写体３との距離を調整する（図４参照）。すなわち、内側の鏡２０に被写体３の像が写るように、撮影補助装置１を被写体３に近づけ、または、被写体３から遠ざける。
【００２２】
前述の通り、外側の鏡１０は６枚の平面鏡１１〜１６を有し、内側の鏡２０は６枚の平面鏡２１〜２６を有している。そのため、図５に示すように、内側の鏡２０の平面鏡２１〜２６には、異なる６つの方向から見た被写体３の像３ａ〜３ｆがそれぞれ写される。カメラ２のレンズ２Ａは内側の鏡２０に向けて配置されているので、カメラ２の撮影を行うことにより、異なる６つの方向から見た被写体３の６つの画像を含む１枚の画像が得られる。よって、カメラ２の１回の撮影により、異なる６つの方向から見た被写体３の６つの画像を同時に得ることができる。
【００２３】
このように撮影補助装置１を利用して得られた画像、すなわち、被写体３を複数の方向から見た画像は、種々の用途に利用することができる。このような画像を用いて、被写体３を表示装置にて立体的に表現することができる。次に、被写体３を立体的に表現する画像システムの一例について説明する。
【００２４】
図６は、本実施形態に係る画像システム５０の構成図である。画像システム５０は、カメラ２が取り付けられた撮影補助装置１に加え、カメラ２の画像データを用いて被写体３の３次元画像を作成する画像データ作成装置６０と、作成された３次元画像が表示されるディスプレイ５とを備えている。画像データ作成装置６０は、カメラ２とは別体のパーソナルコンピュータ等によって構成されていてもよいが、本実施形態では、スマートフォン４に内蔵されたコンピュータによって構成されている。また、ディスプレイ５は、画像データ作成装置６０とは別体のディスプレイ等によって構成されていてもよいが、本実施形態では、スマートフォン４に備えられたディスプレイ５によって構成されている（図１参照）。なお、ディスプレイ５は、スマートフォン４の表面に設けられている。本実施形態では、カメラ２、ディスプレイ５、および画像データ作成装置６０は、一体的に構成されている。カメラ２、ディスプレイ５、および画像データ作成装置６０は、単一の筐体に設けられている。
【００２５】
画像データ作成装置６０は、画像データ受信部６１と、角度補正部６２と、３次元データ作成部６３と、３次元表示部６４とを備えている。これら各部６１〜６４は、スマートフォン４のＣＰＵがコンピュータプログラム（アプリケーションソフトウェア）を読み込むことにより、機能的に実現される。スマートフォン４のＣＰＵが上記コンピュータプログラムを読み込むことにより、ＣＰＵは、上記各部６１〜６４を構成するプロセッサとなる。
【００２６】
画像データ受信部６１は、カメラ２から画像データを受信する。なお、カメラ２から受信する画像データは、前述の通り、被写体３を複数の方向から見た複数の画像を含むデータである。
【００２７】
図４に示すように、撮影補助装置１は被写体３の上方に配置されるので、撮影補助装置１に装着されたカメラ２が撮影する各画像は、被写体３を斜め上方から見た画像となる。例えば、撮影補助装置１に装着されたカメラ２が撮影する各画像は、被写体３を斜め４５度上方から見た画像となる。よって、図７に示すように、カメラ２から見る視点の座標（Ｘｅ，Ｙｅ，Ｚｅ）と、被写体３の注視される点の座標（Ｘ，Ｙ，Ｚ）とは一致しない。しかし、視点の角度を注視角度φとし、この注視角度φを用いた角度補正を行うことにより、視点から見た画像を注視点の画像に変換することができる。角度補正部６２は、注視角度φを用いて、視点から見た画像を注視点の画像に変換する。なお、このような変換の方法には周知の任意の方法を用いることができるため、その詳しい説明は省略する。
【００２８】
前述したように、画像データ受信部６１が受信する画像データは、被写体３を複数の方向から見た複数の画像を含むデータである。各方向を表す角度を視差角度θとすると（図７参照）、画像データ受信部６１が受信する画像データには、視差角度θが異なる複数の画像のデータが含まれる。被写体３を１つの方向から撮影した画像のみでは、被写体３の奥行きや形状を一意に決定できないが、複数の方向から撮影した複数の画像からは、三角計測法の考えを用いて、奥行きや形状を一意に決定することができる。３次元データ作成部６３は、視差角度θが異なる複数の画像データを用いて、被写体３の３次元画像データを作成する。なお、視差角度θが異なる複数の画像データを用いて被写体３の３次元画像データを作成する方法には、周知の任意の方法を利用することができる。そのため、ここではその詳しい説明は省略する。
【００２９】
３次元表示部６４は、３次元データ作成部６３が作成した３次元画像データを用いて、ディスプレイ５に被写体３の３次元画像を表示させる。ディスプレイ５に被写体３の３次元画像を表示させる方法は何ら限定されない。例えば、ユーザが、被写体３が表示されているタッチパネル式のディスプレイ５に指を載せ、所定方向にフリックまたはスワイプすると、被写体３が当該方向に回転するように表示されるようになっていてもよい。このようにして、被写体３をディスプレイ５上に立体的に表現することができる。
【００３０】
以上のように、本実施形態に係る撮影補助装置１によれば、カメラ２の１回の撮影により、被写体３を複数の方向から見た複数の画像を得ることができる。そのため、スマートフォン４を被写体３の周りに移動させるといった作業は不要である。したがって、手間と時間をかけずに、かつ、簡単な作業により、被写体３を複数の方向から見た複数の画像を得ることができ、それら複数の画像を利用して被写体３を立体的に表現することができる。
【００３１】
また、本実施形態に係る撮影補助装置１によれば、複数枚の平面鏡１１〜１６を有する外側の鏡１０と、外側の鏡１０の平面鏡１１〜１６と同枚数の平面鏡２１〜２６を有する内側の鏡２０とを備えている。それら複数枚の平面鏡１１〜１６および２１〜２６を組み合わせることにより、手間と時間をかけずに、かつ、簡単な作業により、被写体３を複数の方向から見た複数の画像を得ることができる。
【００３２】
ところで、平面鏡の枚数が少ないと、カメラ２の１回の撮影によって得られる被写体３の画像の数が少なくなるので、その画像を用いて表現される被写体３の立体画像が粗くなる傾向がある。一方、平面鏡の枚数が多いと、カメラ２の１回の撮影によって得られる被写体３の画像の数が多くなるので、その画像を用いて被写体３の立体画像を作成する処理に、より多くの時間がかかる傾向がある。本実施形態によれば、外側の鏡１０および内側の鏡２０の各々が有する平面鏡の枚数は６枚である。本実施形態によれば、比較的短い処理時間により、比較的良好な被写体３の立体画像を得ることができる。
【００３３】
本実施形態に係る撮影補助装置１によれば、外側の鏡１０と内側の鏡２０とは、複数のアーム３１，３２によって接続されている。各アーム３１，３２の外側端部３３は、外側の鏡１０のうち隣り合う２つの平面鏡１１〜１６の間に接続されており、各アーム３１，３２の内側端部３４は、内側の鏡２０のうち隣り合う２つの平面鏡２１〜２６の間に接続されている。このような構成により、外側の鏡１０に反射されて内側の鏡２０に写る被写体３の像に、アーム３１，３２の像が重なることはない。よって、カメラ２により、被写体３を複数の方向から見た複数の画像を良好に撮影することができる。
【００３４】
本実施形態に係る画像システム５０によれば、撮影補助装置１および画像データ作成装置６０を備えているので、スマートフォン４をケース４０に装着し、スマートフォン４に内蔵されたカメラ２により被写体３を撮影するだけの作業により、被写体３の３次元画像データを得ることができる。
【００３５】
本実施形態では、撮影補助装置１に取り付けられるカメラは、スマートフォン４に内蔵されたカメラ２であり、画像データ作成装置６０はスマートフォン４に内蔵されている。そのため、単一のスマートフォン４により、被写体３の撮影および立体的表現の両方を実現することができる。
【００３６】
なお、前記実施形態は本発明の実施の一形態に過ぎず、本発明は他に種々の形態にて実施することができる。次に、他の実施形態の例について、簡単に説明する。
【００３７】
前記実施形態では、撮影補助装置１の外側の鏡１０は６枚の平面鏡１１〜１６を有し、内側の鏡２０は６枚の平面鏡２１〜２６を有していた。しかし、外側の鏡１０および内側の鏡２０が有する平面鏡の枚数は、６枚に限定されない。上記平面鏡の枚数は、３〜５枚であってもよく、７枚以上であってもよい。
【００３８】
また、外側の鏡および内側の鏡は、平面鏡を有するものに限定されない。図８に示すように、撮影補助装置１の外側の鏡は、直線Ｌ１の周囲に配置された曲面鏡１８によって構成され、内側の鏡は、直線Ｌ１の周囲に配置された曲面鏡２８によって構成されていてもよい。なお、この形態は、外側の鏡および内側の鏡がそれぞれ無限枚数の平面鏡を有しているものと考えることができる。
【００３９】
図８では、外側の曲面鏡１８と内側の曲面鏡２８とを接続する接続部材の図示は省略している。接続部材の形態は何ら限定されないが、例えば、外側の曲面鏡１８と内側の曲面鏡２８とを接続するアームを用いることができる。内側の曲面鏡２８には、被写体３の像だけでなく上記アームの像も写る場合があるが、カメラによって得られる画像から上記アームの画像を消去する画像処理を行うこと等により、被写体の立体画像を得ることができる。あるいは、カメラによって得られる画像のうち、アームが写っている部分以外の部分を選択的に利用することにより、被写体の立体画像を得ることができる。この他に、例えば、透明のアクリルやガラスなどの素材で出来た円盤状の接続部材を用いて、外側の曲面鏡１８と内側の曲面鏡２８とを接続してもよい。この場合、外部から円盤状の接続部材に向かって差し込む光の反射による影響をなくすため、遮光部材を装着することが望ましい。例えば、外側の曲面鏡１８の上部を覆って外部からの光の差し込みを遮るようなカバーを、カメラ周囲に設けることが望ましい。
【００４０】
前記実施形態では、外側の鏡１０と内側の鏡２０とを接続する接続部材は、アーム３１、３２であった。しかし、接続部材の数および形態は何ら限定されない。
【００４１】
前記実施形態では、撮影補助装置１に取り付けられるカメラ２により、被写体３の静止画像を撮影することとしていた。しかし、例えば被写体３が動く物である場合、撮影補助装置１に取り付けられるカメラ２により、被写体３の動画像を撮影するようにしてもよい。カメラ２は動画撮影が可能に構成され、画像データ作成装置６０は、カメラ２から被写体３の動画像のデータを受け、このデータを用いて被写体３の３次元動画像データを作成するように構成されていてもよい。これにより、ディスプレイ５上において被写体３の動きを立体的に表現することができる。
【符号の説明】
【００４２】
１          撮影補助装置
２          カメラ
２Ａ        レンズ
３          被写体
４          スマートフォン
１０        外側の鏡
１１〜１６  平面鏡
２０        内側の鏡
２１〜２６  平面鏡
３０        接続部材
３１        上側アーム
３２        下側アーム
４０        ケース（カメラ支持部材）
５０        画像システム
６０        画像データ作成装置
Ｌ１        直線
【図１】
2017161631.tif 000003
【図２】
2017161631.tif 000004
【図３】
2017161631.tif 000005
【図４】
2017161631.tif 000006
【図５】
2017161631.tif 000007
【図６】
2017161631.tif 000008
【図７】
2017161631.tif 000009
【図８】
2017161631.tif 000010